(57)【要約】【課題】複数枚の引戸を全開放できるとともに、開き操作、閉じ操作が容易であり、また戸袋内に収納された引戸も容易に引き出すことのできる引戸用引手を提供する。【解決手段】引戸１０，２０の幅方向の端部に設置される引戸用引手であって、引戸１０，２０の幅方向の中央側端部から外側端部に向かって厚みが次第に減少する指掛け面２ａを有する開き操作用指掛け部２と、引戸１０，２０の中央側端部から外側端部に向かって厚みが引戸１０，２０の幅よりも薄い指掴み部３ａを有する閉じ操作用指掛け部３とを、高さを異ならせて設けた引戸用引手。開き操作用指掛け部２の外側端部は、引戸１０，２０の幅よりも狭いが指掛け面２ａの外側端部の幅よりも広い広縁部２ｂとすることができる。また、閉じ操作用指掛け部３の指掴み部３ａには、滑り止めのための溝３ｂを形成することができる。【選択図】  図１
2014015708.tif 000002
【特許請求の範囲】
【請求項１】
引戸の幅方向の端部に設置される引戸用引手であって、
引戸の幅方向の中央側端部から外側端部に向かって厚みが次第に減少する指掛け面を有する開き操作用指掛け部と、
前記引戸の中央側端部から外側端部に向かって厚みが引戸の幅よりも薄い指掴み部を有する閉じ操作用指掛け部とを、
高さを異ならせて設けたことを特徴とする引戸用引手。
【請求項２】
前記開き操作用指掛け部の外側端部は、前記引戸の幅よりも狭いが前記指掛け面の外側端部の幅よりも広い広縁部となっている請求項１記載の引戸用引手。
【請求項３】
前記閉じ操作用指掛け部の指掴み部には、滑り止めのための溝が形成されている請求項１または２に記載の引戸用引手。
【発明の詳細な説明】
【技術分野】
【０００１】
本発明は、ふすまや障子、あるいは家屋の玄関の引戸等（以下、これらを総称して「引戸」と言う。）を手で開け閉めする際に指を掛けるための引手に関する。
【背景技術】
【０００２】
かかる引戸には、敷居、鴨居、レール等に沿って引戸を開閉する際の手掛かりとなる引手が移動方向の端部に設けられている。引手は、金属製のものや、木製のものがあるが、いずれも引戸の表面から凹ませた凹部が設けられる。この引手の凹部に手を掛けて引戸を水平方向に開閉するのであるが、引戸は通常、全開放時に戸袋内に収納されるか、複数の引戸が重なった状態となる。このとき、引手も戸袋内に引き込まれるか、他の引戸と重なるため、手を引手に掛けたままにして引戸を移動させると指を挟んだり打ったりして痛い思いをする。ひどい場合は内出血や骨折に至る。
【０００３】
このような問題を解決するために、特許文献１には、縦枠、敷居、鴨居で組まれる枠体内に開閉自在に引戸が設けられる引違い引戸構造において、引戸の開放時、縦枠との間に空幅が設けられるように引残し手段を設けた引戸構造が提案されている。
【０００４】
また特許文献２には、引戸を閉じるとき引戸が移動する側の引戸の端部を戸先側端部とすると共に引戸を開くとき引戸が移動する側の引戸の端部を戸尻側端部とし、引戸の戸先側の端部に装着した引手の片面側にこの片面側と戸先側の端部を開口した凹所を形成し、凹所の戸尻側の端部に引戸の面に対して略直交する開き操作用指掛け面を設け、開き操作用指掛け面の引戸の厚み方向の幅より幅の狭い閉じ操作用指掛け片を凹所の戸先側の端部の底面から突設した引戸の引手が提案されている。
【先行技術文献】
【特許文献】
【０００５】
【特許文献１】特開平１０−８８２４号公報
【特許文献２】特開平１１−６２３３２号公報
【発明の概要】
【発明が解決しようとする課題】
【０００６】
しかしながら、前掲の特許文献１において提案されている引戸構造では、開放時に引残し手段により引戸は縦枠との間に空隙が残るため、完全には開放できないという問題がある。
【０００７】
また、特許文献２において提案されている引戸の引手では、開き操作用指掛け面と閉じ操作用指掛け片が設けられており、構造が複雑であるとともに、操作に戸惑うという問題がある。また、戸袋内に完全に収納したときに引戸を引き出しにくいという問題もある。
【０００８】
本発明は、複数枚の引戸を全開放できるとともに、開き操作、閉じ操作が容易であり、また戸袋内に収納された引戸も容易に引き出すことのできる引戸用引手を提供することを目的とする。
【課題を解決するための手段】
【０００９】
前記課題を解決するため、本発明の引戸用引手は、引戸の幅方向の端部に設置される引戸用引手であって、引戸の幅方向の中央側端部から外側端部に向かって厚みが次第に減少する指掛け面を有する開き操作用指掛け部と、前記引戸の中央側端部から外側端部に向かって厚みが引戸の幅よりも薄い指掴み部を有する閉じ操作用指掛け部とを、高さを異ならせて設けたことを特徴とする。
【００１０】
本発明においては、引戸を閉めた状態から開くとき、開き操作用指掛け部の指掛け面に指を当てて開き方向に移動すると、それに伴って引戸は開き方向に移動する。さらに開くと、引手は、２枚戸で主室側から開く場合、手前側の引戸に重なり、開き側の引戸の指掛け面に掛けている指は手前側の引戸によって動きを止められる。従来では、指が開き側の引戸の引手により挟まれるわけであるが、本発明では、指掛け面は外側端部が薄くなっているので、指が挟まれることはない。指を離したとき、引戸が完全に開き側に移動していないときは、指で引戸の端部を押し付ければ、完全に開くことができる。また、引戸を閉める際に、閉じ操作用指掛け部には指掴み部が設けられているので、指掴み部に指を差し込み、引戸を引っ張り出すことができる。開き操作用指掛け部と閉じ操作用指掛け部の２つを設けたのは、開き操作用指掛け部の指掛け面は引戸を閉じる際に指が滑るからであり、閉じる際には閉じ操作用指掛け部を引っ張るようにしたのである。
【００１１】
前記開き操作用指掛け部の外側端部は、前記引戸の幅よりも狭いが前記指掛け面の外側端部の幅よりも広い広縁部とすることにより、開き側の引戸を完全に開く場合に、指掛け面が尖っていないので指で押し付けやすい。また、引戸を閉める際に、広縁部が指掛け面よりも厚み方向に出っ張っているので、広縁部に指を掛けて横方向に押すことにより、引戸を完全に閉めることができる。
【００１２】
前記閉じ操作用指掛け部の指掴み部には、滑り止めのための溝を形成することにより、戸袋等に収まっている引戸を引っ張り出すときに指が滑らず、引き出しやすい。
【発明の効果】
【００１３】
本発明によれば、引戸の幅方向の中央側端部から外側端部に向かって厚みが次第に減少する指掛け面を有する開き操作用指掛け部と、引戸の中央側端部から外側端部に向かって厚みが引戸の幅よりも薄い指掴み部を有する閉じ操作用指掛け部とを、高さを異ならせて設けたことにより、複数枚の引戸を全開放できるとともに、開き操作、閉じ操作が容易であり、また戸袋内に収納された引戸も容易に引き出すことができる。
【図面の簡単な説明】
【００１４】
【図１】本発明の実施の形態に係る引戸用引手を示すものであり、（ａ）は引き違い引戸の正面図、（ｂ）は（ａ）のＡ−Ａ断面図、（ｃ）は（ａ）のＢ−Ｂ断面図、（ｄ）は引戸用引手の側面図である。
【図２】本発明の実施の形態に係る引戸用引手を設けた引き違い引戸の横断平面図である。
【図３】本発明の実施の形態に係る引戸用引手を設けた戸袋収納式引戸の横断平面図である。
【発明を実施するための形態】
【００１５】
以下、本発明の実施の形態を、図面を参照しながら具体的に説明する。
本実施の形態に係る引戸用引手を設けた引き違い引戸の例を図１に示している。本例では、引戸１０，２０は、２本の柱３１，３２間において、敷居３３と鴨居３４の間に設けられている。引戸１０，２０は、ドブ縁といわれる竪縁１１，２１と、マス縁といわれる竪縁１２，２２と、上縁１３，２３と、下縁１４，２４を有している。そして、竪縁１１，２１側に、それぞれ引戸用引手（以下、単に「引手」ということがある。）１を有している。
【００１６】
本実施の形態の引手１は、上半分に開き操作用指掛け部２を、下半分に閉じ操作用指掛け部３を有している。
【００１７】
開き操作用指掛け部２は、図１（ｂ）に示すように、戸の幅方向の中央側端部から外側端部に向かって厚みが次第に減少する指掛け面２ａを両面に有し、外側端部には、引戸の幅よりも狭いが指掛け面２ａの外側端部の幅よりも広い広縁部２ｂを有している。指掛け面２ａは本例では斜面になっているが、階段状で厚みが変化する形状でもよい。
【００１８】
閉じ操作用指掛け部３は、厚みが引戸の幅よりも薄い指掴み部３ａを有しており、指掴み部３ａには、滑り止めのための溝３ｂが形成されている。
【００１９】
この引手１を用いて、引戸１０を柱３１に密接している閉じた状態から柱３２側に開く場合は、開き操作用指掛け部２の指掛け面２ａに指の先端を当て、柱３２側に指を移動させると、指掛け面２ａは内側の方が、厚みが厚くなっているので、指掛け面２ａで指が滑ることなく、引戸１０を移動することができる。
【００２０】
引戸１０を移動させている指の先端が引手１の指掛け面２ａに触れたまま、手前側の引戸２０の竪縁２２に重なると、指の中途部は竪縁２２により移動を止められ、指の先端は引戸１０の引手１に巻き込まれるようになるが、指掛け面２ａは外側端部が薄くなっているので、指が挟まれることはない。指を離したとき、引戸１０が完全に開き側に移動していないときは、指で引戸１０の端部の広縁部２ｂを押し付ければ、引戸１０が柱３２に密着するまで完全に開くことができる（図２参照）。
【００２１】
引戸１０を閉める際に、閉じ操作用指掛け部３には指掴み部３ａが設けられているので、指掴み部３ａに指を差し込み、引戸１０を引っ張り出すことができる。引戸１０を引っ張り出した後は、開き操作用指掛け部２の広縁部２ｂの、出っ張った部分に指を掛けて引戸１０を横移動させれば、最後まで閉めることができる。
【００２２】
特に、図３に示すように、壁板４１，４１内の間に引戸１０を収納する戸袋収納式の場合は、従来の引手であると指が入りにくいため、壁板４１，４１側に凹部を形成していたが、本発明の閉じ操作用指掛け部３は、厚みが引戸１０の幅よりも薄い指掴み部３ａを有しており、指掴み部３ａには、滑り止めのための溝３ｂが形成されているため、引戸１０が戸袋に完全に収納されていても、指掴み部３ａと壁板４１，４１との隙間に指を入れて指掴み部３ａを摘んで引き出すことで、引戸１０を引き出し、後は、開き操作用指掛け部２の広縁部２ｂの出っ張った部分を利用して、閉める方向に移動することができる。
【００２３】
このようにして、引戸１０を全開放できるとともに、開き操作、閉じ操作が容易であり、また戸袋内に収納された引戸１０も容易に引き出すことができる。
【００２４】
なお、本実施の形態の引手１は、上半分に開き操作用指掛け部２を、下半分に閉じ操作用指掛け部３を有しているが、上下を入れ替えて、上半分に閉じ操作用指掛け部３を、下半分に開き操作用指掛け部２を設けてもいい。
【産業上の利用可能性】
【００２５】
本発明は、複数枚の引戸を全開放できるとともに、開き操作、閉じ操作が容易であり、また戸袋内に収納された引戸も容易に引き出すことのできる引戸用引手として、ふすまや障子、あるいは家屋の玄関の引戸等の建具に、好適に利用することができる。
【符号の説明】
【００２６】
１  引戸用引手（引手）
２  開き操作用指掛け部
２ａ  指掛け面
２ｂ  広縁部
３  閉じ操作用指掛け部
３ａ  指掴み部
３ｂ  溝
１０，２０  引戸
１１，２１  竪縁（ドブ縁）
１２，２２  竪縁（マス縁）
１３，２３  上縁
１４，２４  下縁
３１，３２  柱
３３  敷居
３４  鴨居
４１  壁板
【図１】
2014015708.tif 000003
【図２】
2014015708.tif 000004
【図３】
2014015708.tif 000005